(57)【要約】      （修正有）【課題】マッサージの効果及び作業の効率が高まり、稼働時の安定性が向上し、滑りが避けられる。また、関節付近の軟部組織をマッサージする一方、マッサージが必要とならない部分を避けることができる。【解決手段】デュアルヘッド筋膜ガンは、キャビティ１を含み、前記キャビティには、駆動モータ２及び二つのリンク穴５１、５２が設けられ、前記リンク穴の外部には、それぞれ、第一マッサージ固定座２１及び第二マッサージ固定座２２、及び第一運動ピストン３１及び第二運動ピストン３２が設けられ、前記第一運動ピストン及び第二運動ピストンは、それぞれ、リンク手段を介して、前記駆動モータの出力軸に接続され、第一運動ピストン及び第二運動ピストンの端部には、それぞれ、第一マッサージヘッド４１及び第二マッサージヘッド４２が設けられる。【選択図】図３
0003232352.tif 000002
【実用新案登録請求の範囲】
【請求項１】
キャビティ（１）を含み、前記キャビティ（１）内には、駆動モータ（２）が設けられ、前記キャビティ（１）には、二つのリンク穴（１０）が設けられ、前記リンク穴（１０）の外部には、それぞれ、第一マッサージ固定座（２１）及び第二マッサージ固定座（２２）が設けられ、前記第一マッサージ固定座（２１）及び第二マッサージ固定座（２２）には、それぞれ、第一運動ピストン（３１）及び第二運動ピストン（３２）が設けられ、前記第一運動ピストン（３１）及び第二運動ピストン（３２）は、それぞれ、リンク手段を介して、前記駆動モータ（２）の出力軸に接続され、第一運動ピストン（３１）及び第二運動ピストン（３２）の端部には、それぞれ、第一マッサージヘッド（４１）及び第二マッサージヘッド（４２）が設けられる、ことを特徴とする、デュアルヘッド筋膜ガン。
【請求項２】
前記駆動モータ（２）は、前記二つのリンク穴（１０）間に設置され、前記第一運動ピストン（３１）及び第二運動ピストン（３２）は、それぞれ、前記駆動モータ（２）における上方及び下方に位置する、ことを特徴とする、請求項１に記載のデュアルヘッド筋膜ガン。
【請求項３】
前記駆動モータ（２）は、両方向出力軸のブラシレスモータであり、前記第一運動ピストン（３１）及び第二運動ピストン（３２）は、それぞれ、第一リンク（５１）及び第二リンク（５２）を介して、前記両方向出力軸のブラシレスモータにおける一つの軸端に接続される、ことを特徴とする、請求項１に記載のデュアルヘッド筋膜ガン。
【請求項４】
前記両方向出力軸のブラシレスモータにおける二つの出力軸には、それぞれ、第一偏心輪（６１）及び第二偏心輪（６２）が設けられ、前記第一偏心輪（６１）及び第二偏心輪（６２）には、それぞれ、第一偏心接続軸（６１０）及び第二偏心接続軸（６２０）が設置され、前記第一リンク（５１）及び第二リンク（５２）の棒端は、それぞれ、ベアリングを介して、前記第一偏心接続軸（６１０）及び第二偏心接続軸（６２０）に接続される、ことを特徴とする、請求項３に記載のデュアルヘッド筋膜ガン。
【請求項５】
前記第一偏心接続軸（６１０）及び第二偏心接続軸（６２０）は、第一偏心接続軸（６１０）を介して、第一リンク（５１）が一方向に運動するように連動すると、第二偏心接続軸（６２０）を介して、第二リンク（５２）が反対方向に運動するように連動するように、千鳥状に設置される、ことを特徴とする、請求項４に記載のデュアルヘッド筋膜ガン。
【請求項６】
前記キャビティ（１）には、第一伝動キャビティ（１１）、第二伝動キャビティ（１２）及びモータキャビティ（１３）が設けられ、前記第一伝動キャビティ（１１）及び第二伝動キャビティ（１２）は、それぞれ、前記モータキャビティ（１３）の先端部及び底部に接続して取り付けられ、第二伝動キャビティ（１２）は、底部が、電池を取り付けるキャビティに接続される、ことを特徴とする、請求項１に記載のデュアルヘッド筋膜ガン。
【請求項７】
前記第一伝動キャビティ（１１）及び第二伝動キャビティ（１２）には、それぞれ、リンク穴（１０）が設置される、ことを特徴とする、請求項６に記載のデュアルヘッド筋膜ガン。
【請求項８】
前記第一伝動キャビティ（１１）、第二伝動キャビティ（１２）及び前記モータキャビティ（１３）の接続箇所には、それぞれ、第一マッサージヘッド（４１）と第二マッサージヘッド（４２）とが同一方向に位置するように確保するポカヨケ手段が設けられる、ことを特徴とする、請求項６に記載のデュアルヘッド筋膜ガン。
【請求項９】
前記ポカヨケ手段は、第一伝動キャビティ（１１）とモータキャビティ（１３）の間に、及び／又は、第二伝動キャビティ（１２）とモータキャビティ（１３）との間に設置される位置決めピン又は位置決めネジである、ことを特徴とする、請求項８に記載のデュアルヘッド筋膜ガン。
【考案の詳細な説明】
【技術分野】
【０００１】
本考案は、筋膜ガン分野に関し、特に、デュアルヘッド筋膜ガンに関する。
【背景技術】
【０００２】
筋膜ガンは、深層筋膜インパクタとも呼ばれ、高周波の衝撃によって身体の軟部組織をリラックスさせる軟部組織のリハビリツールである。筋膜ガンは、民間版の電気深部筋肉刺激装置（ＤＭＳ）として理解されてもよく、使用の際に振動の周波数が変化することがあり、その基本的な作用がＤＭＳと大体に同様である。
【０００３】
筋膜ガンは、その内部に専用の高速モータを用いて、「ガンのヘッド」であるマッサージヘッドを連動し、高い周波数の振動を発生させ、筋肉の深層に作用することにより、局所的な組織の緊張を緩和し、痛みを緩め、血行を促進するなどの役割を図る。従来の筋膜ガンマッサージヘッドの全ては、単一の球形とされるヘッド又は円筒形とされるヘッドであり、使用の際に人体の部分に作用するものの、振動の際に、安定性が十分でなく、滑りやすく、使用者が所望する使用の位置に安定に維持し難しいことから、頻繁に調整しなければならない。なお、人体に対する筋膜ガンの箇所は、軟部組織であるので、損傷しないように、骨などの部分を避けることが必要となる。しかしながら、従来の大きい円形ヘッドの構造とされるマッサージヘッドは、その作用する範囲が比較的大きく、骨や関節などの部分に使用される場合に、正確な制御が難しく、又は、関節付近の軟部組織をマッサージすることができず、又は、不当な操作により関節や骨が損傷されてしまうおそれがある。
【考案の概要】
【考案が解決しようとする課題】
【０００４】
本考案は、上記の事情に鑑み、上記の技術に存在している課題を解決するために、使用の際に二つのマッサージヘッドにより人体の隣接の部位に作用することにより、マッサージの効果及び作業の効率が高まると共に、作動際における安定性の向上に役立つことができ、一つのマッサージヘッドが離脱されてしまう場合でも、もう一つのマッサージヘッドが人体に作用できることから、滑りを避け、使用者が所望する使用位置に安定に維持することができ、また、関節付近の軟部組織をマッサージする一方、マッサージが必要とならない部分を便宜に避けることができる、デュアルヘッド筋膜ガンを提供する。
【課題を解決するための手段】
【０００５】
デュアルヘッド筋膜ガンは、キャビティを含み、前記キャビティ内には、駆動モータが設けられ、前記キャビティには、二つのリンク穴が設けられ、前記リンク穴の外部には、それぞれ、第一マッサージ固定座及び第二マッサージ固定座が設けられ、前記第一マッサージ固定座及び第二マッサージ固定座には、それぞれ、第一運動ピストン及び第二運動ピストンが設けられ、前記第一運動ピストン及び第二運動ピストンは、それぞれ、リンク手段を介して、前記駆動モータの出力軸に接続され、第一運動ピストン及び第二運動ピストンの端部には、それぞれ、第一マッサージヘッド及び第二マッサージヘッドが設けられる。
【０００６】
本考案に係るデュアルヘッド筋膜ガンによると、前記駆動モータは、二つのリンク穴間に設置され、前記第一運動ピストン及び第二運動ピストンは、それぞれ、前記駆動モータの上方及び下方に位置する。
【０００７】
本考案に係るデュアルヘッド筋膜ガンによると、前記駆動モータは、両方向出力軸のブラシレスモータであり、前記第一運動ピストン及び第二運動ピストンは、それぞれ、第一リンク及び第二リンクを介して、前記両方向出力軸のブラシレスモータにおける一つの軸端に接続される。
【０００８】
本考案に係るデュアルヘッド筋膜ガンによると、前記両方向出力軸のブラシレスモータの二つの出力軸には、それぞれ、第一偏心輪及び第二偏心輪が設けられ、前記第一偏心輪及び第二偏心輪には、それぞれ、第一偏心接続軸及び第二偏心接続軸が設置され、前記第一リンク及び第二リンクの棒端は、それぞれ、ベアリングを介して、前記第一偏心接続軸及び第二偏心接続軸に接続される。
【０００９】
本考案に係るデュアルヘッド筋膜ガンによると、前記第一偏心接続軸及び第二偏心接続軸は、第一偏心接続軸を介して、第一リンクが一方向に運動するように連動すると、第二偏心接続軸を介して、第二リンク向が反対方向に運動するように連動する、ように、千鳥状に設置される。
【００１０】
本考案に係るデュアルヘッド筋膜ガンによると、前記キャビティには、第一伝動キャビティ、第二伝動キャビティ及びモータキャビティが設けられ、前記第一伝動キャビティ及び第二伝動キャビティは、それぞれ、前記モータキャビティの先端部及び底部に接続して取り付けられ、第二伝動キャビティは、底部が電池を取り付けるキャビティに接続される。
【００１１】
本考案に係るデュアルヘッド筋膜ガンによると、前記第一伝動キャビティ及び第二伝動キャビティには、それぞれ、リンク穴が設置される。
【００１２】
本考案に係るデュアルヘッド筋膜ガンによると、前記第一伝動キャビティ、第二伝動キャビティ及び前記モータキャビティの接続箇所には、それぞれ、第一マッサージヘッド及び第二マッサージヘッドが同一方向に位置するように確保するポカヨケ手段が設けられる。本考案に係るデュアルヘッド筋膜ガンによると、前記ポカヨケ手段は、第一伝動キャビティとモータキャビティとの間、及び／又は、第二伝動キャビティとモータキャビティとの間に設置される位置決めピン又は位置決めネジである。
【考案の効果】
【００１３】
本考案に言及されている技術を採用すると、本考案の実施例におけるデュアルヘッド筋膜ガンが以下のような有益な効果を有している。使用の際には、二つのマッサージヘッドにより人体における隣接の部分に作用することにより、マッサージの効果及び作業の効率が高まる。作動際の安定性を向上させることに役立ち、一つのマッサージヘッドが離脱されてしまう場合でも、もう一つのマッサージヘッドにより人体に作用することができることから、滑りを避け、使用者が所望する使用位置に安定に維持することができる。また、関節付近の軟部組織をマッサージする一方、マッサージが必要とならない部分を便宜に避けることができる。
【図面の簡単な説明】
【００１４】
【図１】本考案に係るデュアルヘッド筋膜ガンによる三次元構造図である。
【図２】本考案に係るデュアルヘッド筋膜ガンから一部のキャビティを取り除いた構造図である。
【図３】本考案に係るデュアルヘッド筋膜ガンによる断面図である。  図における矢印は、マッサージヘッドによる運動方向を模式的に示す。
【考案を実施するための形態】
【００１５】
以下には、図面を参照しながら、本考案における好ましい各実施の形態を説明していく。請求の範囲及びその均等物により限定される本考案の例示的な実施の形態への理解に役立つように、以下に図面を参照する説明を提供する。それらは、理解に役立つ各種類の具体的な詳細が含まれるが、例示的ものとして見なされるべきである。故に、当業者にとっては、ここで説明する実施の形態について、本考案の範囲や趣旨を逸脱しないかぎり、各種類の変形や補正を行ってもよいと理解され得る。しかも、明細書をより明確や簡潔にするように、当分野によく知られる機能や構造に対する詳しい説明を省略する。
【００１６】
図１乃至図３に示されるように、デュアルヘッド筋膜ガンは、キャビティ１を含み、前記キャビティ１内には、駆動モータ２が設けられ、前記キャビティ１には、二つのリンク穴１０が設けられ、前記リンク穴１０の外部には、それぞれ、第一マッサージ固定座２１及び第二マッサージ固定座２２が設けられ、前記第一マッサージ固定座２１及び第二マッサージ固定座２２には、それぞれ、第一運動ピストン３１及び第二運動ピストン３２が設けられ、前記第一運動ピストン３１及び第二運動ピストン３２には、それぞれ、リンク手段を介して、前記駆動モータ２の出力軸に接続され、第一運動ピストン３１及び第二運動ピストン３２の端部には、それぞれ、第一マッサージヘッド４１及び第二マッサージヘッド４２が設けられる。
【００１７】
前記駆動モータ２は、前記二つのリンク穴１０間に設置され、前記第一運動ピストン３１及び第二運動ピストン３２は、それぞれ、前記駆動モータ２の上方及び下方に位置する。
【００１８】
前記駆動モータ２は、両方向出力軸のブラシレスモータであり、前記第一運動ピストン３１及び第二運動ピストン３２は、それぞれ、第一リンク５１及び第二リンク５２を介して、前記両方向出力軸のブラシレスモータにおける一つの軸端に接続される。
【００１９】
前記両方向出力軸のブラシレスモータにおける二つの出力軸には、それぞれ、第一偏心輪６１及び第二偏心輪６２が設けられ、前記第一偏心輪６１及び第二偏心輪６２には、それぞれ、第一偏心接続軸６１０及び第二偏心接続軸６２０が設置され、前記第一リンク５１及び第二リンク５２の棒端には、それぞれ、ベアリングを介して、前記第一偏心接続軸６１０及び第二偏心接続軸６２０に接続される。
【００２０】
前記第一偏心接続軸６１０及び第二偏心接続軸６２０は、第一偏心接続軸６１０を介して第一リンク５１が一方向に運動するように連動すると、第二偏心接続軸６２０を介して、第二リンク５２が反対方向に運動するように連動するように、千鳥状に設置される。
【００２１】
前記キャビティ１には、第一伝動キャビティ１１、第二伝動キャビティ１２及びモータキャビティ１３が設けられ、前記第一伝動キャビティ１１及び第二伝動キャビティ１２は、それぞれ、前記モータキャビティ１３の先端部及び底部に接続して取り付けられ、第二伝動キャビティ１２の底部は、電池を取り付けるキャビティに接続される。
【００２２】
前記第一伝動キャビティ１１及び第二伝動キャビティ１２には、それぞれ、リンク穴１０が設置される。
【００２３】
前記第一伝動キャビティ１１、第二伝動キャビティ１２及び前記モータキャビティ１３の接続箇所には、それぞれ、第一マッサージヘッド４１及び第二マッサージヘッド４２が同一方向に位置するように確保するポカヨケ手段が設けられる。
【００２４】
前記ポカヨケ手段は、第一伝動キャビティ１１とモータキャビティ１３との間に、及び／又は、第二伝動キャビティ１２とモータキャビティ１３との間に設置される位置決めピン又は位置決めネジである。
【００２５】
本考案に係るデュアルヘッド筋膜ガンによると、使用の際に、二つのマッサージヘッドにより人体における隣接の部位に作用することにより、マッサージの効果及び作業の効率が高まると共に、作動際の安定性を向上させることに役立ち、一つのマッサージヘッドが離脱されてしまう場合にでも、もう一つのマッサージヘッドにより人体に作用することができ、滑りを避け、使用者が所望する使用位置に安定に維持することができる。また、関節付近の軟部組織をマッサージする一方、マッサージが必要とならない部分を便宜に避けることができる。
【００２６】
以上に本考案を詳しく説明し、本明細書において、具体的な例示に基づいて、本考案に係る原理や実施の形態を説明したが、以上の実施例への説明が本考案への理解に寄与する方法及びその発想の核心だけである。しかも、当業者にとっては、本考案に係る趣旨に基づいて、具体的な実施の形態とその適用範囲が合わせて変化することもあり、故に、本明細書が本考案を制限するものであると理解されない。
【００２７】
以上の実施の形態を説明することにより、当業者にとって、本考案が実施可能であると明らかに理解され得る。もちろん、上記に言及したことが例示に過ぎず、本考案をこれらに限定するわけではない。当業者にとっては、本考案の技術手段に基づいて得られる他の変形や抜粋について、いずれも本考案に適正に応用されると共に、本考案の範囲内に含まれていると理解され得る。
【符号の説明】
【００２８】
１    キャビティ
１０    リンク穴
１１    第一伝動キャビティ
１２    第二伝動キャビティ
１３    モータキャビティ
２      駆動モータ
２１    第一マッサージ固定座
２２    第二マッサージ固定座
３１    第一運動ピストン
３２    第二運動ピストン
４１    第一マッサージヘッド
４２    第二マッサージヘッド
５１    第一リンク
５２    第二リンク
６１    第一偏心輪
６１０  第一偏心接続軸
６２    第二偏心輪
６２０  第二偏心接続軸
【図１】
0003232352.tif 000003
【図２】
0003232352.tif 000004
【図３】
0003232352.tif 000005